(57)【特許請求の範囲】
【請求項１】
基礎立ち上がり部にコンクリートが打設されることによって形成されたあらかじめ配設された人通孔を有する建屋のコンクリート基礎の補強構造において、
前記人通孔の上部に設けた補強材と、
前記補強材が固定される固定具と、
前記コンクリート基礎内部に配筋された鉄筋であって、前記コンクリート基礎下部の主筋から前記コンクリート基礎上部の主筋にかけて固定され、前記人通孔の下部を中心に左右に広がる斜筋と、
を備えることを特徴とするコンクリート基礎の補強構造。
【請求項２】
前記補強材が、
曲げ加工されていることを特徴とする請求項１記載のコンクリート基礎の補強構造。
【請求項３】
前記補強材が、
前記人通孔の上部であって、かつ前記コンクリート基礎の上面、長手側側面のうち少なくとも１つの面が接していることを特徴とする請求項２記載のコンクリート基礎の補強構造。
【請求項４】
前記補強材が、
前記人通孔の上部であって、かつ前記コンクリート基礎の上面、長手側側面のうち上面を含む少なくとも２つの面が接していることを特徴とする請求項２記載のコンクリート基礎の補強構造。
【請求項５】
前記コンクリート基礎の上面が、
前記補強材と重なる部分に切欠き部を備えることを特徴とする請求項４記載のコンクリート基礎の補強構造。
【請求項６】
前記曲げ加工が山形または溝形であることを特徴とする請求項２記載のコンクリート基礎の補強構造。
【請求項７】
前記斜筋が、
複数であることを特徴とする請求項１記載のコンクリート基礎の補強構造。
【請求項８】
前記斜筋が、
前記主筋から連続して屈曲加工されていることを特徴とする請求項１記載のコンクリート基礎の補強構造。
【請求項９】
前記補強材が、
前記人通孔を遮る部分に切欠き部を備えることを特徴とする請求項１記載のコンクリート基礎の補強構造。
【請求項１０】
前記切欠き部が、
アーチ状であることを特徴とする請求項９記載のコンクリート基礎の補強構造。
【請求項１１】
前記固定具は、
前記コンクリート基礎上面または長手側側面に配設されることを特徴とする請求項１記載のコンクリート基礎の補強構造。
【請求項１２】
前記固定具は、
前記コンクリート基礎内部に埋め込まれる受け具と、
前記受け具に前記補強材が固定される締結具と、
を備えることを特徴とする請求項１１記載のコンクリート基礎の補強構造。
【請求項１３】
前記人通孔が、
矩形であることを特徴とする請求項１記載のコンクリート基礎の補強構造。
【請求項１４】
前記人通孔が、
半楕円形であることを特徴とする請求項１記載のコンクリート基礎の補強構造。
【請求項１５】
前記人通孔の上部が、
前記補強材のみで連結されていることを特徴とする請求項１記載のコンクリート基礎の補強構造。
【請求項１６】
コンクリート型枠の内側にコンクリートを打設することによって形成される、あらかじめ配設された人通孔を有する建屋のコンクリート基礎の補強構造の形成方法において、
固定具が、前記コンクリート型枠の内側に配設される前記人通孔の上部に配筋される鉄筋に固定される工程と、
斜筋が、前記コンクリート基礎下部の主筋から前記コンクリート基礎上部の主筋にかけて前記人通孔の下部を中心に左右に広がるように固定される工程と、
前記コンクリートが、前記コンクリート型枠の内側に打設される工程と、
補強材が、前記コンクリートの打設後に形成される前記コンクリート基礎に形成された前記人通孔の上部の前記固定具に固定される工程と、
を備えることを特徴とするコンクリート基礎の補強構造の形成方法。
【発明の詳細な説明】
【技術分野】
【０００１】
本発明は、人通孔を有するコンクリート基礎の補強構造、およびその形成方法に関し、特にコンクリートが打設されることによって形成される、あらかじめ配設された人通孔を有する建屋のコンクリート基礎の補強構造、およびその形成方法に関する。
【背景技術】
【０００２】
従来から、木造住宅は地面に近い床下部分から腐食や老朽化が進むため、地震や台風被害による倒壊被害を軽減するためにも、定期的な床下内部の点検が必要とされており、通常床下の点検を行うためには、人が床下へ入り込む必要がある。
【０００３】
かつての木造住宅の和室の畳の下には、幅広のムク板が釘ドメされているだけだったため、どこでも簡単に畳を剥がして床下に人が入れる構造であった。
【０００４】
最近では和室がない住宅も増えており、洋室の部屋や廊下は簡単に床を剥がすことが出来ず床から床下に入ることは難しい。
【０００５】
また床下に床暖房などの配管や配線が敷設された住宅も増え、床下のメンテナンスは必要不可欠になっているが、これらの配管や配線が床下に存在するため、床を剥がして床下に人が入るのは大変困難である。
【０００６】
そこで床下へ入るために、建物の下部構造である基礎にあらかじめ人が通れる人通孔を形成し、人通孔の周囲を補強した構造が提案されている。
【０００７】
例えば、基礎部に設ける円形の人通孔の欠損を防止するために、人通孔の左右縦方向にＸ字状の斜筋または平鋼などを配設し、人通孔を取り巻くように補強筋を施すことで円形孔の破損を防止する方法が知られている（たとえば、特許文献１、２参照）。
【０００８】
また、基礎部の上方に設ける上部開放型の矩形開口部の欠損を防止するために、上部開放部の上端筋を必要幅だけ切断し、矩形開口部の左右に斜筋を配筋することで人通孔の周囲を補強した構造が提案されている（たとえば、特許文献３参照）。
【先行技術文献】
【特許文献】
【０００９】
【特許文献１】特開２０１３−８７５０４号公報
【特許文献２】特開２０１６−８４６０号公報
【特許文献３】特開平９−２４２２２５８号公報
【発明の概要】
【発明が解決しようとする課題】
【００１０】
しかし、特許文献１、２などの構造は、比較的大型建家基礎の人通孔として鉄筋コンクリート基礎に設けられる円形人通孔の補強構造であり、中小規模建家の基礎は向かない構造であった。
【００１１】
具体的には、基礎は地中に埋められる「根入れ部」と直下の地面である設計グランドラインから上に立ち上がる「立ち上がり部」とから成り立っており、人通孔がその「立ち上がり部」に設けられる。床の高さは、設計グランドラインからその床仕上げの上面まで４５ｃｍ以上と建築基準法で決められている。ただし床の厚さを差し引くと、この「立ち上がり部」は、あまり高く設計するとコストがかさむので４５ｃｍに近い値で設計されることが多い。
【００１２】
この４５ｃｍ程度の高さに人体が通り抜けできるギリギリの孔を開けてしまうと、立ち上がり部のコンクリート上辺部の肉厚が薄くなり充分な強度が得られないという問題がある。
【００１３】
また充分な強度を得るため、人通孔を小さくすると人体が通れない孔しか開けられないことが多く、人通孔の意味を成さない穴になってしまう。
【００１４】
またこのような限られたスペースでは上辺部を設置することが難しく、立ち上がり部の上辺を開放した上部開放型をとらざるを得ない。このような状況下で、立ち上がり部の上辺を開放した開口部周辺にＸ字状の斜筋や平鋼を配設しても構造上ほとんど意味がなく、単にコストがかさんでしまうだけであった。
【００１５】
さらに特許文献３では、人通孔を上部開放型の矩形開口部にすることで、人が通るスペースを広くとっている。
【００１６】
しかし、上部開放部の上端筋を必要幅だけ切断し、代わりに矩形開口部の下部左右に斜筋を配筋して補強を行っているが、基礎立ち上がり部の上端筋が無いので基礎の長手方向に作用する曲げモーメントに耐えられず、開放部の下部隅部に応力が集中し亀裂が発生しやすくなるという重大な問題があった。
【００１７】
本発明はこのような点に鑑みてなされたものであり、住宅基礎の立ち上がり部の高さが低い場合でも、人が通り抜けることの出来る人通孔の欠損を防止できる補強構造、および形成方法を提供することを目的とする。
【課題を解決するための手段】
【００１８】
本発明では上記問題を解決するために、基礎立ち上がり部にコンクリートが打設されることによって形成される、あらかじめ排泄された人通孔を有する建屋のコンクリート基礎の補強構造において、前記人通孔の上部に設けた補強材と、前記補強材が固定される固定具と、前記コンクリート基礎内部に配筋された鉄筋であって、前記コンクリート基礎下部の主筋から前記コンクリート基礎上部の主筋にかけて固定され、前記人通孔の下部を中心に左右に広がる斜筋とを備えることを特徴とするコンクリート基礎の補強構造が提供される。
【００１９】
これにより、補強材が人通孔の上部に固定され、斜筋が人通孔の下部を中心に基礎下部の主筋から基礎上部の主筋にかけて左右に配筋される。
【００２０】
また本発明では、コンクリート打設によって形成される、あらかじめ配設された人通孔を有する建屋のコンクリート基礎の補強構造の形成方法において、固定具が、前記コンクリート型枠の内側に配設される前記人通孔の上部に配筋される鉄筋に固定される工程と、斜筋が、前記コンクリート基礎下部の主筋から前記コンクリート基礎上部の主筋にかけて前記人通孔の下部を中心に左右に広がるように固定される工程と、前記コンクリートが、前記コンクリート型枠の内側に打設される工程と、補強材が、前記コンクリートの打設後に形成される前記コンクリート基礎に形成された前記人通孔の上部の前記固定部に固定される工程とを備えることを特徴とするコンクリート基礎の補強構造の形成方法が提供される。
【００２１】
これにより、補強材が人通孔の上部に固定され、斜筋が人通孔の下部を中心に基礎下部の主筋から基礎上部の主筋にかけて左右に配筋される。
【発明の効果】
【００２２】
本発明の補強構造およびその形成方法によれば、補強材が人通孔の上部に固定され、肋筋が人通孔の両側に配筋され、斜筋が人通孔の下部に水平に連続する下部主筋から人通孔の両側対象に配筋されるので、人通孔を大きくしても人通孔の亀裂や欠損を防止できる補強構造が形成できる。
【図面の簡単な説明】
【００２３】
【図１】第１の実施の形態に係る補強構造を示す正面図である。
【図２】第１の実施の形態に係る補強構造を示す断面図である。
【図３】第１の実施の形態に係る組立配筋を示す正面図である。
【図４】市販品の固定具の一例を示す取付詳細断面図である。
【図５】第２の実施の形態に係る補強構造を示す正面図である。
【図６】第２の実施の形態に係る補強構造を示す断面図である。
【図７】第２の実施の形態に係る組立配筋を示す正面図である。
【図８】補強材の取付方法の一例を示す斜視図である。
【図９】補強材の取付方法の一例を示す斜視図である。
【図１０】補強材の取付方法の一例を示す斜視図である。
【発明を実施するための形態】
【００２４】
以下、本発明の実施の形態を図面を参照して詳細に説明する。
〔第１の実施の形態〕
図１は、第１の実施の形態に係る補強構造を示す正面図である。
図１に示すように、補強構造１００は、基礎部１１０、人通孔１２０、および補強材１３０を備えている。
【００２５】
基礎部１１０は、Ｔの字を逆さにした断面形状の鉄筋コンクリートが連続して設けられた布基礎であり、基礎の底辺部であるフーチング部１１１、および基礎部１１０の最上端までの立ち上がり部１１２を備えている。
基礎部１１０の内部には鉄筋が配筋されているが、鉄筋の配筋については後述する。
【００２６】
人通孔１２０は、立ち上がり部１１２に設けられた床下点検のために人が床下へ入る矩形状の穴であり、人が通りやすいように人通孔１２０の上部は基礎部１１０の最上端を開口するかたちで開けられている。
【００２７】
通常基礎の形成には、まず砕石工事を行うことで地盤を締め固め、その後に基礎の底面を平らにするために捨てコンクリートを打設、墨出し後に鉄筋を組む配筋工事を行い、配筋された鉄筋を囲うように基礎を形成するための型枠を設置する。設置された型枠内にコンクリートを打設し、打設したコンクリートの硬化後に型枠を解体することで基礎が形成され、その後立ち上がり部１１２の上辺面が水平になるようにモルタルで天端ならしを行う。
【００２８】
人通孔１２０は、基礎形成後にコンクリートを切削することで穴を開けることもできるが、基礎は内部に鉄筋が配筋されており、鉄筋を切断することの無いように、あらかじめコンクリート打設前に型枠等で人通孔１２０を形成しておくとよい。
【００２９】
補強材１３０は、鋼材を曲げ加工したものであり、例えば山形鋼などを人通孔１２０の側面上部を覆うように立ち上がり部１１２の片側側面に設置する。
【００３０】
また補強材１３０の人通孔１２０を遮る部分にはアーチ状の切り欠きが設けられ、人が少しでも通りやすいように、人通孔１２０の高さを高くする加工が設けられている。
【００３１】
補強材１３０の一部にはあらかじめ穴１３１が開けられており、ボルト等で立ち上がり部１１２に固定する。固定方法については後述する。
【００３２】
図２は、第１の実施の形態に係る補強構造を示す断面図である。
図２（Ａ）は、第１の実施の形態に係る補強構造の人通孔を含まない部位の断面図である。
【００３３】
図２（Ａ）に示すように、基礎部１１０の内部には鉄筋１４０が配筋されている。
フーチング部１１１の内部には、長手方向左右に２本の第一下部主筋１４１が配筋されている。またフーチング部１１１に水平でかつ長手方向に向かって複数等間隔にスラブ筋１４２が配筋され、第一下部主筋１４１とスラブ筋１４２とが各々直角になるように固定されている。
【００３４】
立ち上がり部１１２の中心には基礎部１１０の長手方向に対して垂直でかつ等間隔に肋筋１４７が配筋され、スラブ筋１４２の中心に固定されている。
【００３５】
また肋筋１４７とスラブ筋１４２との交点には、基礎部１１０の長手方向に向かって第二下部主筋１４３が配筋され固定されている。
【００３６】
人通孔１２０の下面と第二下部主筋１４３との間には、基礎部１１０の長手方向に腹筋１４４が配筋されている。
【００３７】
また肋筋１４７の上部には、基礎部１１０の長手方向に向かって上から第一上部主筋１４５および第二上部主筋１４６が配筋され、肋筋１４７の上部に各々固定されている。
【００３８】
また肋筋１４７を中心に第一下部主筋１４１、第二下部主筋１４３、第一上部主筋１４５、および第二上部主筋１４６が固定されていない側に斜筋１４８が固定されている。
【００３９】
補強材１３０は、例えば山形鋼であって一方の面は立ち上がり部１１２の側面に固定され、他方の面は上面向きに、立ち上がり部１１２の上面より下になるように設置し、立ち上がり部１１２の側面に備えられた固定具１５０で固定されている。
【００４０】
固定具１５０は雌ねじ部材１５１とボルト１５２とを備えている。雌ねじ部材１５１例えばインサートであり、立ち上がり部１１２の内部に埋設されている。補強材１３０は、この立ち上がり部１１２に埋設された雌ねじ部材１５１にボルト１５２で締結され固定されている。詳しい構造については後述する。
【００４１】
図２（Ｂ）は、第１の実施の形態に係る補強構造の人通孔を含む部位の断面図である。
図２（Ｂ）に示すように、フーチング部１１１の内部には、長手方向左右に２本の第一下部主筋１４１が配筋されている。またフーチング部１１１に水平でかつ長手方向に向かって複数等間隔にスラブ筋１４２が配筋され、第一下部主筋１４１とスラブ筋１４２とが各々直角になるように固定されている。
【００４２】
立ち上がり部１１２には人通孔１２０が形成されており、立ち上がり部１１２の中心には基礎部１１０の長手方向に対して垂直でかつ等間隔に肋筋１４７が配筋され、人通孔１２０に到達しない長さでスラブ筋１４２に固定されている。
【００４３】
また肋筋１４７とスラブ筋１４２との交点には、基礎部１１０の長手方向に向かって第二下部主筋１４３が配筋され固定されている。
【００４４】
肋筋１４７の上端付近には、基礎部１１０の長手方向に向かって腹筋１４４が配筋され、肋筋１４７に固定されている。
【００４５】
立ち上がり部１１２の上部側面には補強材１３０が備えられ、立ち上がり部１１２に接した補強材１３０の一面にはアーチ状の切り欠きが設けられているため、補強材１３０の一面は短く加工されている。
【００４６】
図３は、第１の実施の形態に係る組立配筋を示す正面図である。
図３に示すように、フーチング部１１１の内部に基礎部１１０の長手方向に向かって第一下部主筋１４１および第二下部主筋１４３が配筋され、第一下部主筋１４１および第二下部主筋１４３と垂直方向に挟まれる状態で、スラブ筋１４２が一定の間隔で配筋され各々が固定されている。
【００４７】
肋筋１４７は、スラブ筋１４２と同間隔であり、立ち上がり部１１２と同方向に配筋されスラブ筋１４２に固定されている。
【００４８】
肋筋１４７の上部には基礎部１１０の長手方向に向かって第一上部主筋１４５が配筋され、各々の肋筋１４７に固定されている。第一上部主筋１４５の下には基礎部１１０の長手方向に向かって第二上部主筋１４６が配筋され、同様に各々の肋筋１４７に固定されている。
【００４９】
人通孔１２０は、立ち上がり部１１２の所望の位置に設け、立ち上がり部１１２の上面が開放される形で矩形孔を設ける。
【００５０】
ここで人通孔１２０を設けるべき所望の位置にあたる第一上部主筋１４５および第二上部主筋１４６を、あらかじめ人通孔１２０の横幅と同じ長さだけ切断しておく。
【００５１】
第一上部主筋１４５および第二上部主筋１４６が、肋筋１４７との交点に満たない長さで切断された場合、つまり切断部が肋筋１４７から飛び出している場合は、図３の点線で示されるように見切り筋として肋筋１４７を片側または両側に配筋し、第一上部主筋１４５、第二上部主筋１４６、第一下部主筋１４１、および第二下部主筋１４３との交点で固定する。
【００５２】
この際、図３のように人通孔１２０の位置を人通孔１２０の左右どちらかの肋筋１４７に近接した交点に合わせて設けることで、見切り筋として新たに配筋する肋筋１４７を片側だけにすることができる。
【００５３】
斜筋１４８は、人通孔１２０の下部および人通孔１２０を下側かつ左右から挟みこむように配筋され、第一下部主筋１４１または第二下部主筋１４３との交点を４５度上向きに第二上部主筋まで屈曲させた鉄筋を配筋し、肋筋１４７および第二上部主筋１４６との交点を固定する。
【００５４】
腹筋１４４は、立ち上がり部１１２内部でかつ人通孔１２０の下部に基礎部１１０の長手方向に配筋され、肋筋１４７および斜筋１４８との交点で固定する。
【００５５】
補強材１３０を固定するための穴１３１と同じ位置に雌ねじ部材１５１を配設し、第一上部主筋１４５に固定する。
【００５６】
配筋工事が完成したら、基礎部１１０を形成する型枠および人通孔１２０を形成する型枠を設置し、型枠内部にコンクリートを打設する。コンクリートが硬化後に型枠を解体することで基礎部１１０を形成することが出来る。
【００５７】
また本実施例は、人通孔１２０の上部の第一上部主筋１４５および第二上部主筋１４６が繋がっていないのが利用上の必須条件であるが、そのため人通孔１２０に上からの荷重が加わると、基礎の曲げモーメントを負担するはずの上部の鉄筋が配筋されていないので、人通孔１２０の下部に応力が集中してしまう。その結果、人通孔１２０の下部の隅角部にかかるせん断応力によって亀裂が発生し、フーチング部１１１が破損しやすくなってしまう。
【００５８】
この人通孔１２０の下部の隅角部に作用するせん断応力を、斜筋１４８を配筋することで抵抗することができる。
【００５９】
図４は、市販品の固定具の一例を示す取付断面の詳細図である。
図４に示すように、補強材１３０は固定具１５０によって立ち上がり部１１２固定されている。
【００６０】
立ち上がり部１１２の上辺面には、上辺面が水平になるようにモルタル１１３によって天端ならしが施されている。このモルタル１１３が上面に残る程度の高さで補強材１３０の一面が立ち上がり部１１２の側面に設置され固定具１５０によって固定されている。
【００６１】
固定具１５０は、雌ねじ部材１５１およびボルト１５２で構成されている。雌ねじ部材１５１は鋼を圧延して表面に凹凸の突起を設けた棒状の鋼材であり、例えば異形棒鋼を加工したものである。雌ねじ部材１５１の一端は長さ方向に複数の切り込みが入れられ、放射状に曲げられている。この放射状に曲げられた部位が立ち上がり部の内部に埋設され、確実な引き抜け防止を図っている。
【００６２】
またこの放射状に曲げられた部位に、第一上部主筋１４５、第二上部主筋１４６、または後に説明するアンカー筋１４９を挟みこむように固定することで、コンクリート打設時も雌ボルト１４９が移動せずにコンクリート内部に埋設することができる。
【００６３】
また雌ねじ部材１５１の他端には雄ボルトと同じ径のネジ穴が形成されており、補強材１３０を挟んで雄ボルトを締め付けることで補強材１３０を立ち上がり部１１２に固定することができる。
【００６４】
図４では、固定具１５０を立ち上がり部１１２の側面に設け、山形鋼である補強材１３０を立ち上がり部１１２の側面に固定したが、固定具１５０を立ち上がり部１１２の上面に設け、例えば溝形鋼である補強材１３０を立ち上がり部１１２に被せて立ち上がり部１１２の上面にある固定部で補強材１３０を固定することもできる。
【００６５】
また、本実施例では補強材１３０を立ち上がり部１１２の片側の側面に設けたが、人通孔１２０の周囲の強度を上げるため、立ち上がり部１１２の両側面にそれぞれ雌ねじ部材１５１を埋設し、または両側にネジ穴を備えた雌ねじ部材１５１を立ち上がり部１１２の内部に埋設し、その設置した両側面の雌ねじ部材１５１にそれぞれ補強材１３０をボルト１５２によって固定してもよい。
【００６６】
〔第２の実施の形態〕
次に、本発明の第２の実施の形態について説明する。本実施の形態の耐震構造は、補強材の取付方法および人通孔の形状が異なること以外は、第１の実施の形態で示した構成とほぼ同様である。このため、上記第１の実施の形態とほぼ同様の構成部分については同一の符号を付すなどして適宜その説明を省略する。
【００６７】
図５は、第２の実施の形態に係る補強構造を示す正面図である。
図５に示すように、補強構造１００は、基礎部１１０、人通孔１２０、および補強材１３０を備えている。
【００６８】
人通孔１２０は、人が通りやすいように人通孔１２０の上部は基礎部１１０の最上端を開口するかたちで開けられている。
【００６９】
また人通孔１２０の下部の隅角部にかかるせん断応力を分散させるため、人通孔１２０の下部隅角部は半楕円の形状をしている。
【００７０】
補強材１３０は、鋼材を曲げ加工したものであり、例えば溝形鋼などを人通孔１２０の上部を覆うように立ち上がり部１１２に設置する。
【００７１】
また補強材１３０の人通孔１２０を遮る部分にはアーチ状の切り欠きが設けられ、人が少しでも通りやすいように、人通孔１２０の高さを高くする加工が設けられている。
【００７２】
補強材の一部にはあらかじめ図示しない穴１３１が開けられており、立ち上がり部１１２の上面に埋設された雌ねじ部材１５１にボルト１５２を締結することで補強材１３０を立ち上がり部１１２に固定する。
【００７３】
この際、ボルト１５２の頭部が立ち上がり部１１２の上面から突出してしまうので、立ち上がり部１１２の上面かつ補強材１３０と重なる部分周囲に切欠き部１１４を設ける。これによりボルト１５２の頭部と他の部材との干渉を回避することが出来る。
【００７４】
図６は、第２の実施の形態に係る補強構造を示す断面図である。
図６（Ａ）は、第２の実施の形態に係る補強構造の人通孔を含まない部位の断面図である。
【００７５】
図６（Ａ）に示すように、基礎部１１０の内部には鉄筋１４０が配筋されている。
フーチング部１１１の内部には、長手方向左右に２本の第一下部主筋１４１が配筋されている。またフーチング部１１１に水平でかつ長手方向に向かって複数等間隔にスラブ筋１４２が配筋され、第一下部主筋１４１とスラブ筋１４２とが各々直角になるように固定されている。
【００７６】
立ち上がり部１１２の中心には基礎部１１０の長手方向に対して垂直でかつ等間隔に肋筋１４７が配筋され、スラブ筋１４２の中心に固定されている。
【００７７】
また肋筋１４７とスラブ筋１４２との交点には、基礎部１１０の長手方向に向かって第二下部主筋１４３が配筋され固定されている。
【００７８】
人通孔１２０の下面と第二下部主筋１４３との間には、基礎部１１０の長手方向に腹筋１４４が配筋されている。
【００７９】
また肋筋１４７の上部には、基礎部１１０の長手方向に向かって上から第一上部主筋１４５および第二上部主筋１４６が配筋され、肋筋１４７の上部に各々固定されている。
【００８０】
立ち上がり部１１２の上面には補強材１３０が設置され、立ち上がり部１１２に埋設される雌ねじ部材１５１にボルト１５２で補強材１３０が固定されている。
【００８１】
補強材１３０は例えば溝形鋼であって、補強材１３０の凹部が立ち上がり部１１２の上面に覆いかぶさるように設置され、立ち上がり部１１２の上部に埋設された雌ねじ部材１５１にボルト１５２を締結することで補強材１３０を立ち上がり部１１２に固定している。
【００８２】
図６（Ｂ）は、第２の実施の形態に係る補強構造の人通孔を含む部位の断面図である。
図６（Ｂ）に示すように、フーチング部１１１の内部には、長手方向左右に２本の第一下部主筋１４１が配筋されている。またフーチング部１１１に水平でかつ長手方向に向かって複数等間隔にスラブ筋１４２が配筋され、第一下部主筋１４１とスラブ筋１４２とが各々直角になるように固定されている。
【００８３】
立ち上がり部１１２には人通孔１２０が形成されており、立ち上がり部１１２の中心には基礎部１１０の長手方向に対して垂直でかつ等間隔に肋筋１４７が配筋され、人通孔１２０に到達しない長さでスラブ筋１４２に固定されている。
【００８４】
また肋筋１４７とスラブ筋１４２との交点には、基礎部１１０の長手方向に向かって第二下部主筋１４３が配筋され固定されている。
【００８５】
肋筋１４７の上端付近には、基礎部１１０の長手方向に向かって腹筋１４４が配筋され、肋筋１４７に固定されている。
【００８６】
立ち上がり部１１２の上面にはボルト１５２の頭部を回避する高さの切欠き部１１４が設けられ、両側面をアーチ状に切り欠きした補強材１３０が補強材１３０の凹部を立ち上がり部１１２の上部を覆い被せるように設置してある。立ち上がり部１１２上面に埋設される雌ねじ部材１５１にボルト１５２で補強材１３０を固定する。
【００８７】
図７は、第２の実施の形態に係る組立配筋を示す正面図である。
図７に示すように、フーチング部１１１の内部に基礎部１１０の長手方向に向かって第一下部主筋１４１および第二下部主筋１４３が配筋され、第一下部主筋１４１および第二下部主筋１４３と垂直方向に挟まれる状態で、スラブ筋１４２が一定の間隔で配筋され各々が固定されている。
【００８８】
肋筋１４７は、スラブ筋１４２と同間隔であり、立ち上がり部１１２と同方向に配筋されスラブ筋１４２に固定されている。
【００８９】
肋筋１４７の上部には基礎部１１０の長手方向に向かって第一上部主筋１４５が配筋され、各々の肋筋１４７に固定されている。第一上部主筋１４５の下には基礎部１１０の長手方向に向かって第二上部主筋１４６が配筋され、同様に各々の肋筋１４７に固定されている。
【００９０】
人通孔１２０は、立ち上がり部１１２の所望の位置に設け、立ち上がり部１１２の上面が開放される形で半楕円孔を設ける。
【００９１】
人通孔１２０の中央付近で、第一上部主筋１４５および第二上部主筋１４６を切断し、人通孔１２０の下部中央から４５度左右に広がった先の交点を支点に、斜め下４５度に第一上部主筋１４５および第二上部主筋１４６を屈曲させる。
【００９２】
腹筋１４４は、立ち上がり部１１２内部でかつ人通孔１２０の下部に基礎部１１０の長手方向に配筋され、肋筋１４７および斜筋１４８との交点で固定する。
【００９３】
人通孔１２０の上部左右の肋筋１４７、第一上部主筋１４５、または第二上部主筋１４６に雌ねじ部材１５１を固定する。本実施例のように、人通孔１２０の上部左右の第一上部主筋１４５、または第二上部主筋１４６を人通孔１２０の下部に向かって屈曲させて斜筋としているため、雌ねじ部材１５１を固定する位置に第一上部主筋１４５、または第二上部主筋１４６が存在しない場合がある。その際は、人通孔１２０の上部左右の肋筋１４７の上部に、基礎部１１０の長手方向に向かって雌ねじ部材１５１を固定するためのアンカー筋１４９を肋筋１４７に配筋し固定する。雌ねじ部材１５１を埋設する位置にアンカー筋１４９を配筋することで、雌ねじ部材１５１を所望の位置に固定することができる。
【００９４】
補強材１３０を固定するために、補強材１３０に形成される穴１３１と同じ間隔で、雌ねじ部材１５１を立ち上がり部１１２の上面に配設し、アンカー筋１４９に固定する。
【００９５】
配筋工事が完成したら、基礎部１１０を形成する型枠および人通孔１２０を形成する型枠を設置し、型枠内部にコンクリートを打設する。コンクリートが硬化後に型枠を解体することで基礎部１１０を形成することが出来る。
【００９６】
また本実施例のように、斜筋を二段にすることによって斜筋の直交方向に働くせん断力に対抗し、人通孔１２０の周辺に生じる亀裂に備えることが出来る。
【００９７】
図８は、補強材の取付方法の一例を示す斜視図である。
図８に示すように、人通孔１２０の上部に補強材１３０が設けられている。補強材１３０は例えば溝形鋼であって、補強材１３０が備える凹部を立ち上がり部１１２の上部を覆うように設置し、あらかじめ立ち上がり部１１２内部かつ両側面に埋設された雌ねじ部材１５１にボルト１５２で締結することで、補強材１３０は立ち上がり部１１２に固定されている。
【００９８】
上記のように、固定部１５０の設置位置を基礎部１１０の側面にすることで、立ち上がり部１１２の上部で生じる他の部材との干渉を回避することも出来る。この際、補強材１３０の厚さだけ立ち上がり部１１２の上部が重なるが、その重なる部分だけ立ち上がり部１１２の上部を切り欠いておくこともできる。
【００９９】
図９は、補強材の取付方法の一例を示す斜視図である。
図９に示すように、人通孔１２０の上部に補強材１３０が設けられている。補強材１３０は例えば山形鋼だって、補強材１３０が備える角部を立ち上がり部１１２の上部を覆うように設置し、あらかじめ立ち上がり部１１２内部かつ片側面に埋設された雌ねじ部材１５１にボルト１５２で締結することで、補強材１３０は立ち上がり部１１２に固定されている。
【０１００】
上記のように、補強材１３０を立ち上がり部１１２に被せるように設置し、固定部１５０の設置位置を基礎部１１０の側面にすることで、立ち上がり部１１２の上部で生じる他の部材との干渉を回避することも出来る。この際、補強材１３０の厚さだけ立ち上がり部１１２の上部が重なるが、その重なる部分だけ立ち上がり部１１２の上部を切り欠いておくこともできる。
【０１０１】
図１０は、補強材の取付方法の一例を示す斜視図である。
図１０に示すように、人通孔１２０の上部に補強材１３０が設けられている。補強材１３０は例えば溝形鋼であって、補強材１３０が備える凹部を立ち上がり部１１２の上部を覆うように設置し、あらかじめ立ち上がり部１１２内部かつ上面に埋設された雌ボルトにボルト１５２で締結することで補強材１３０は立ち上がり部１１２に固定されている。
【０１０２】
上記のように、立ち上がり部１１２の上部と他の部材とに生じる干渉が問題ない場合には、立ち上がり部１１２に切り欠き部１４１を設けず、補強材１３０を立ち上がり部１１２の上面からボルト１５２で固定することも出来る。
【０１０３】
以上により、住宅基礎の立ち上がり部１１２の高さが低い場合でも、人が通り抜けることの出来る人通孔１２０の欠損を防止できる補強構造を形成することができる。
【０１０４】
尚、上記の鉄筋の配筋工事は、あらかじめ工場生産鉄筋ユニットとしてパネル化しておくこともできる。
【０１０５】
また中小建家の基礎のように立ち上がり部１１２の高さを高く設定できない基礎であっても、本発明によれば人通孔１２０の上辺を開放することによって人通孔１２０の高さを大きくすることができる。
【０１０６】
また本発明のように、上辺を開放された人通孔１２０の上辺部に補強材１３０をまたぐように立ち上がり部１１２に固定することで、基礎部１１０の上からの荷重による曲げモーメントおよびせん断力を基礎全体で負担することができる。
【０１０７】
これにより応力が集中することによって生じる人通孔１２０周囲の亀裂発生を抑止することができる。
【０１０８】
また人通孔１２０の周囲を１本または２本の斜筋を配筋することで、人通孔１２０の周囲の亀裂を抑止することが出来る。
【０１０９】
また本実施例では布基礎を例としてあげたが、ベタ基礎、独立基礎など他の基礎構造で実施することもできる。
【符号の説明】
【０１１０】
１００  補強構造
１１０  基礎部
１１１  フーチング部
１１２  立ち上がり部
１１３  モルタル
１１４  切欠き部
１２０  人通孔
１３０  補強材
１３１  穴
１４０  鉄筋
１４１  第一下部主筋
１４２  スラブ筋
１４３  第二下部主筋
１４４  腹筋
１４５  第一上部主筋
１４６  第二上部主筋
１４７  肋筋
１４８  斜筋
１４９  アンカー筋
１５０  固定具
１５１  雌ネジ部材
１５２  ボルト
【図１】
0006644623.tif 000002
【図２】
0006644623.tif 000003
【図３】
0006644623.tif 000004
【図４】
0006644623.tif 000005
【図５】
0006644623.tif 000006
【図６】
0006644623.tif 000007
【図７】
0006644623.tif 000008
【図８】
0006644623.tif 000009
【図９】
0006644623.tif 000010
【図１０】
0006644623.tif 000011